(57)【要約】【課題】移動の進捗状況を共有しながら、コミュニケーションを円滑に行えるようにする。【解決手段】情報処理システム１０は、複数のユーザ間で交換されるメッセージ情報を取得するメッセージ情報取得手段（１２１）と、少なくとも１人のユーザの経路情報を取得する経路情報取得手段（１２１）と、共通の時系列に沿って情報が配置される複数の領域を有する表示画面に対して、メッセージ情報を第１領域に表示させ、かつ、経路情報を第２領域に表示させる出力制御手段（１２２）と、を備える。【選択図】図１
2014142313.tif 000002
【特許請求の範囲】
【請求項１】
複数のユーザ間で交換されるメッセージ情報を取得するメッセージ情報取得手段と、
少なくとも１人のユーザの経路情報を取得する経路情報取得手段と、
共通の時系列に沿って情報が配置される複数の領域を有する表示画面に対して、前記メッセージ情報を第１領域に表示させ、かつ、前記経路情報を第２領域に表示させる出力制御手段と、を備えたことを特徴とする、情報処理システム。
【請求項２】
前記出力制御手段は、前記第１領域に表示されたメッセージ情報の投稿位置と前記第２領域に表示された経路情報の経路上の位置とを関連付けた形式で、前記メッセージ情報を表示させる、請求項１に記載の情報処理システム。
【請求項３】
前記出力制御手段は、前記経路上の時間に応じた時間スケール、または、前記経路上の距離に応じた距離スケールを、前記第２領域に表示させる、請求項１または２に記載の情報処理システム。
【請求項４】
前記出力制御手段は、アクティブなメッセージ情報に応じて、前記経路情報の表示態様を決定する、請求項１乃至３の何れかに記載の情報処理システム。
【請求項５】
前記経路情報、前記経路の進捗状況を示す進捗情報、および前記経路の環境を示す環境情報の少なくとも１つに基づいて、前記経路に関する経路メッセージ情報を生成する経路メッセージ情報生成手段をさらに備え、
前記出力制御手段は、前記経路メッセージ情報を前記第１領域に表示させる、請求項１乃至４の何れかに記載の情報処理システム。
【請求項６】
前記第２領域に表示された情報に対するユーザの操作を受け付ける操作手段をさらに備え、
前記経路メッセージ情報生成手段は、前記操作の対象である前記第２領域に表示された情報に対応する経路メッセージ情報を生成する、請求項５に記載の情報処理システム。
【請求項７】
前記経路メッセージ情報生成手段は、所定の契機が発生した時点の前記環境情報に応じた経路メッセージ情報を生成する、請求項５または６に記載の情報処理システム。
【請求項８】
測位情報を取得する測位手段をさらに備え、
前記契機は、前記測位情報の取得である、請求項７に記載の情報処理システム。
【請求項９】
前記契機は、ユーザの操作である、請求項７または８に記載の情報処理システム。
【請求項１０】
前記出力制御手段は、画像形式の前記経路メッセージ情報を前記第１領域に表示させる、請求項５乃至９の何れかに記載の情報処理システム。
【請求項１１】
前記出力制御手段は、前記経路メッセージ情報に対するユーザの操作を受け付けるメニュー画面を前記表示画面内に表示させ、前記メニュー画面を介して受け付けられた操作に対応する経路メッセージ情報を前記第１領域に表示させる、請求項５乃至１０の何れかに記載の情報処理システム。
【請求項１２】
複数のユーザ間で交換されるメッセージ情報を取得するメッセージ情報取得手段と、
少なくとも１人のユーザの経路情報を取得する経路情報取得手段と、
共通の時系列に沿って情報が配置される複数の領域を有する表示画面に対して、前記メッセージ情報を第１領域に表示させ、かつ、前記経路情報を第２領域に表示させる出力制御手段と、を備えたことを特徴とする、サーバ。
【請求項１３】
共通の時系列に沿って情報が配置される複数の領域を有する表示画面に情報を表示させる情報処理方法において、
コンピュータが、
複数のユーザ間で交換されるメッセージ情報を前記表示画面の第１領域に表示させるステップと、
少なくとも１人のユーザの経路情報を前記表示画面の第２領域に表示させるステップと、を実行することを特徴とする、情報処理方法。
【請求項１４】
共通の時系列に沿って情報が配置される複数の領域を有する表示画面に情報を表示させるコンピュータプログラムにおいて、
コンピュータに、
複数のユーザ間で交換されるメッセージ情報を前記表示画面の第１領域に表示させるステップと、
少なくとも１人のユーザの経路情報を前記表示画面の第２領域に表示させるステップと、を実行させることを特徴とする、プログラム。
【発明の詳細な説明】
【技術分野】
【０００１】
本発明の実施形態は、情報処理システム、サーバ、情報処理方法、およびコンピュータプログラムに関し、特に、メッセージ情報と経路情報とを表示画面上に表示させる、情報処理システム、サーバ、情報処理方法、およびコンピュータプログラムに関する。
【背景技術】
【０００２】
従来、待ち合わせ相手の移動状況を通知する技術が知られている。例えば、特許文献１には、各人の状況を取得し、取得した状況に応じた待ち合わせの変更を各メンバーに通知するとともに、待ち合わせメンバーの返信に基づいて、共通の進捗画面を作成する技術が開示されている。また、特許文献２には、待ち合わせ時に、相手の乗換経路の状況をナビゲーション画面で表示して進捗を共有する技術が開示されている。
【先行技術文献】
【特許文献】
【０００３】
【特許文献１】特開２００６−２４３８２７号公報
【特許文献２】特開２００７−７８５０７号公報
【発明の概要】
【発明が解決しようとする課題】
【０００４】
従来の技術では、ユーザは、自分の移動状況を取得するために、ナビゲーションアプリケーションの画面を表示させる必要があった。しかしながら、ユーザは、待ち合せ時に、ナビゲーションアプリケーションの画面を常に開いていることは希であり、むしろ、待ち合わせ相手とコミュニケーション用のアプリケーションの画面（例えば、メール画面またはメッセンジャー画面）を表示させていることの方が一般的である。したがって、待ち合わせ時には、ナビゲーションアプリケーションから得られる経路情報をスムーズに知ることができなかった。
【０００５】
本発明は、上記の課題に鑑みてなされたものである。本発明の目的は、経路情報を共有しながら、コミュニケーションを円滑に行えるようにすることである。
【課題を解決するための手段】
【０００６】
本発明の実施形態の情報処理システムは、複数のユーザ間で交換されるメッセージ情報を取得するメッセージ情報取得手段と、少なくとも１人のユーザの経路情報を取得する経路情報取得手段と、共通の時系列に沿って情報が配置される複数の領域を有する表示画面に対して、前記メッセージ情報を第１領域に表示させ、かつ、前記経路情報を第２領域に表示させる出力制御手段と、を備える。
【発明の効果】
【０００７】
本発明によれば、経路情報を共有しながら、コミュニケーションを円滑に行えるようになる。
【図面の簡単な説明】
【０００８】
【図１】本実施形態の情報処理システム１の構成を示すブロック図。
【図２】本実施形態の情報処理のシーケンス図。
【図３】本実施形態の表示画面の第１例の図。
【図４】本実施形態の表示画面の第２例の図。
【図５】本実施形態の表示画面の第３例の図。
【図６】本実施形態の表示画面の第４例の図。
【図７】本実施形態の表示画面の第５例の図。
【図８】本実施形態の第１変形例の表示画面の図。
【図９】本実施形態の第２変形例の情報処理のシーケンス図。
【図１０】本実施形態の第３変形例の情報処理のシーケンス図。
【発明を実施するための形態】
【０００９】
本実施形態について、図面を参照して説明する。
【００１０】
本実施形態の情報処理システム１の構成について説明する。図１は、本実施形態の情報処理システム１の構成を示すブロック図である。
【００１１】
図１に示すように、情報処理システム１は、サーバ１０と、端末装置３０と、ネットワーク５０とを備える。サーバ１０および端末装置３０は、ネットワーク５０を介して互いに通信可能である。サーバ１０の数は、１台であっても良いし、複数台であっても良い。端末装置３０の数は、１台であっても良いし、複数台であっても良い。ネットワーク５０は、有線ネットワークであっても良いし、無線ネットワークであっても良い。サーバ１０と端末装置３０との間の通信は、ネットワーク５０以外の媒体（例えば、ＵＳＢ（Ｕｎｉｖｅｒｓａｌ  Ｓｅｒｉａｌ  Ｂｕｓ）等のデータバスケーブル、またはＳＤ（Ｓｅｃｕｅｒｅ  Ｄｉｇｉｔａｌ）カード等のリムーバルメディア）を介して行われても良い。
【００１２】
サーバ１０は、サーバ制御部１２と、サーバ記憶部１４と、サーバ通信部１６とを備える。
【００１３】
サーバ制御部１２は、サーバ通信制御部１２０と、サーバ情報取得部１２１と、サーバ出力制御部１２２と、経路メッセージ情報生成部１２４と、を備える。サーバ制御部１２の各部については、後述する。
【００１４】
サーバ記憶部１４には、サーバ制御部１２が取り扱うデータが記憶される。例えば、サーバ記憶部１４には、経路ネットワーク情報（例えば、交通網のノードおよびリンクを含む情報）と、地図情報（例えば、表示用地図情報）と、ＰＯＩ（Ｐｏｉｎｔ  Ｏｆ  Ｉｎｔｅｒｅｓｔ）情報と、公共交通機関の時刻表を示す時刻表情報と、交通状況を示す交通情報と、ユーザ情報（例えば、ユーザに固有のユーザＩＤ（Ｉｄｅｎｔｉｆｉｃａｔｉｏｎ）と、当該ユーザに関連付けられたユーザ（以下「フレンドユーザ」という）のユーザＩＤと、の関連性を示すテーブル）と、ユーザが利用する経路を示すユーザ経路情報と、サーバ制御部１２が実行可能なプログラムと、が記憶される。
【００１５】
なお、交通情報は、道路や公共交通機関の交通情報、道路の渋滞情報および規制情報、公共交通機関の遅延情報および混雑情報を含んでもよい。
【００１６】
また、道路の渋滞情報および規制情報は、ＶＩＣＳ（Ｖｅｇｉｃｌｅ  Ｉｎｆｏｒｍａｔｉｏｎ  ａｎｄ  Ｃｏｍｍｕｎｉｃａｔｉｏｎ  Ｓｙｓｔｅｍ）から取得したリアルタイム情報、プローブ情報、ユーザが投稿した投稿情報、または過去の渋滞情報から得られる予測情報でもよい。公共交通機関の遅延情報および混雑情報は、運営会社から取得した情報または投稿情報でもよい。さらに、公共交通機関の遅延情報および混雑情報、ならびに道路の渋滞情報および規制情報は、リアルタイム情報に応じて更新される情報でもよい。
【００１７】
経路ネットワーク情報とは、移動手段の経路ネットワークを示す情報である。経路ネットワークは、複数のノードと、複数のノード間を接続するリンクと、を含む。例えば、経路ネットワーク情報は、自動車用の道路ネットワーク、徒歩用の道路ネットワーク、自転車用の道路ネットワーク、公共交通機関（例えば、電車、バス、船舶、および航空機等）の交通ネットワークを示す。
【００１８】
サーバ通信部１６は、サーバ１０とネットワーク５０との間の通信インタフェースである。
【００１９】
端末装置３０は、端末制御部３２と、端末記憶部３４と、端末通信部３６と、操作部３８と、測位部４０と、表示部４２とを備える。例えば、端末装置３０は、デスクトップコンピュータ、ノートブックコンピュータ、携帯電話、スマートフォン、タブレット端末、カーナビゲーション装置、またはＧＰＳ（Ｇｌｏｂａｌ  Ｐｏｓｉｔｉｏｎｉｎｇ  Ｓｙｓｔｅｍ）ロガー（単にＧＰＳの測位情報を記録する装置）である。
【００２０】
端末制御部３２は、端末通信制御部３２０と、端末情報取得部３２１と、端末出力制御部３２２とを備える。端末制御部３２の各部については、後述する。
【００２１】
端末記憶部３４には、端末制御部３２が取り扱うデータが記憶される。例えば、端末記憶部３４には、ユーザ情報と、端末制御部３２が実行可能なプログラムとが記憶される。
【００２２】
端末通信部３６は、端末装置３０とネットワーク５０との間の通信インタフェースである。
【００２３】
操作部３８は、ユーザから、ユーザ指示を受け付ける。例えば、操作部３８は、タッチパネルである。この場合には、ユーザは、タッチパネルを用いて所定の操作（例えば、タッチまたはスワイプ）を行うことにより、端末装置３０にユーザ指示を与える。操作部３８は、ユーザが行った操作に応じて、ユーザ指示を受け付ける。
【００２４】
測位部４０は、測位情報を取得する。測位情報は、端末装置３０の測位位置を示す測位位置情報と、端末装置３０の測位方位を示す測位方位情報とを含む。例えば、測位部４０は、ＧＰＳレシーバである。
【００２５】
表示部４２は、様々な情報を表示する。例えば、表示部４２は、液晶ディスプレイまたは有機ＥＬ（Ｅｌｅｃｔｒｏｌｕｍｉｎｅｓｃｅｎｃｅ）ディスプレイである。なお、操作部３８および表示部４２は、一体のモジュール（例えば、タッチパネル型ディスプレイ）であっても良い。
【００２６】
なお、サーバ記憶部１４および端末記憶部３４は、それぞれ、サーバ１０および端末装置３０の外部に設けられ、ネットワーク５０を介して、サーバ１０および端末装置３０と接続されても良い。
【００２７】
本実施形態の情報処理について説明する。図２は、本実施形態の情報処理のシーケンス図である。この情報処理は、端末装置３０と同様の構成を有する第１端末装置３０Ａおよび第２端末装置３０Ｂと、サーバ１０と、によって行われる処理である。
【００２８】
＜Ｓ１−３１０＞  第１端末装置３０Ａが、リクエスト発行を行う。Ｓ１−３１０の具体例を以下で説明する。
【００２９】
Ｓ１−３１０の第１例では、端末情報取得部３２１が、ユーザから、操作部３８を介して、メッセージ情報と、当該メッセージ情報の送信先となる送信先ユーザＩＤ（フレンドユーザのユーザＩＤ）と、を取得する。次に、端末通信制御部３２０が、端末通信部３６およびネットワーク５０を介して、メッセージ情報と送信先ユーザＩＤとを含むリクエストを、サーバ１０に送信する。すなわち、Ｓ１−３１０の第１例では、ユーザがメッセージ情報と送信先ユーザＩＤを第１端末装置３０Ａに与えたことを契機として、次のステップ（Ｓ１−１００）に進む。
【００３０】
Ｓ１−３１０の第２例では、端末情報取得部３２１が、測位部４０から、測位情報を取得する。次に、端末通信制御部３２０が、端末通信部３６およびネットワーク５０を介して、測位情報を含むリクエストを、サーバ１０に送信する。すなわち、Ｓ１−３１０の第２例では、測位部４０による測位情報の取得を契機として、次のステップ（Ｓ１−１００）に進む。
【００３１】
Ｓ１−３１０の第３例では、端末情報取得部３２１が、ユーザから、操作部３８を介して、操作に応じた操作情報を取得する。次に、端末通信制御部３２０が、端末通信部３６およびネットワーク５０を介して、操作情報を含むリクエストを、サーバ１０に送信する。すなわち、Ｓ１−３１０の第３例では、ユーザによる操作部３８の操作を契機として、次のステップ（Ｓ１−１００）に進む。
【００３２】
＜Ｓ１−１００＞  サーバ１０が、経路情報取得を行う。Ｓ１−１００の具体例を以下で説明する。
【００３３】
Ｓ１−１００の第１例では、サーバ情報取得部１２１が、第１端末装置３０Ａおよび第２端末装置３０Ｂの少なくとも１つから、経路探索条件を取得し、取得した経路探索条件に基づいて経路探索を行うことにより、経路情報を取得する。経路探索条件は、少なくとも、ユーザが指定した出発地および目的地の組み合わせ、または、測位部４０が取得した測位情報が示す位置（現在地）およびユーザが指定した目的地の組み合わせである。すなわち、Ｓ１−１００の第１例では、サーバ１０内で経路探索が行われる。
【００３４】
Ｓ１−１００の第２例では、サーバ情報取得部１２１が、サーバ記憶部１４またはサーバ１０の外部に設けられた経路探索サーバから経路情報を取得する。
【００３５】
Ｓ１−１００の第３例では、サーバ情報取得部１２１が、第１端末装置３０Ａおよび第２端末装置３０Ｂの少なくとも１つから、経路情報を取得する。
【００３６】
＜Ｓ１−１０２＞  サーバ１０が、環境情報取得を行う。環境情報とは、経路の環境を示す情報である。例えば、サーバ情報取得部１２１が、サーバ記憶部１４に記憶された交通情報を、環境情報として取得する。この場合の環境情報は、メッセージ通信要求（Ｓ１−３１０）が実行されたときの交通状況を示す。
【００３７】
＜Ｓ１−１０４＞  サーバ１０が、進捗情報取得を行う。進捗情報とは、経路の進捗状況を示す情報である。Ｓ１−１０４の具体例を以下で説明する。
【００３８】
Ｓ１−１０４の第１例では、サーバ情報取得部１２１が、第１端末装置３０Ａおよび第２端末装置３０Ｂの少なくとも１つから、測位情報を進捗情報として取得する。
【００３９】
Ｓ１−１０４の第２例では、サーバ情報取得部１２１が、第１端末装置３０Ａおよび第２端末装置３０Ｂの少なくとも１つから、測位情報を取得し、当該測位情報に基づいて、経路に関連する内容（例えば、経路上の位置（出発地、経由地、乗換駅、もしくは区間）、目的地への到着予定時刻、または所在地から目的地までの距離）を示す経路関連情報を進捗情報として取得する。
【００４０】
＜Ｓ１−１０６＞  サーバ１０が、経路メッセージ情報生成を行う。経路メッセージ情報とは、経路に関する情報（経路情報、環境情報、および進捗情報の少なくとも１つ）を示すメッセージ情報の一種である。Ｓ１−１０６は、経路情報、環境情報、および進捗情報の少なくとも１つの取得を契機として行われる。例えば、経路メッセージ情報生成部１２４は、Ｓ１−１００で取得された経路情報、Ｓ１−１０２で取得された環境情報、およびＳ１−１０４で取得された進捗情報の少なくとも１つに基づいて、経路メッセージ情報を生成する。なお、Ｓ１−１０６は省略可能である。経路情報に基づいて生成された経路メッセージ情報は、目的地到着予定時間と、出発地から目的地までの所要時間、距離、乗り換え回数、および交通費と、の少なくとも１つを示す。環境情報に基づいて生成された経路メッセージ情報は、道路の渋滞情報および規制情報、ならびに公共交通機関の混雑情報、遅延情報、および運休情報の少なくとも１つを示す。進捗情報に基づいて生成された経路メッセージ情報は、測位情報が示す位置、目的地までの残り所要時間、および目的地までの残り距離の少なくとも１つを示す。
【００４１】
＜Ｓ１−１０８＞  サーバ１０が、出力情報送信を行う。Ｓ１−１０８の具体例を以下で説明する。
【００４２】
Ｓ１−１０８の第１例では、サーバ出力制御部１２４が、Ｓ１−１００で取得された経路情報と、Ｓ１−１０２で取得された環境情報、Ｓ１−１０４で取得された進捗情報、およびＳ１−１０６で生成された経路メッセージ情報の表示画面内のレイアウトを決定し、経路情報と、環境情報と、進捗情報と、経路メッセージ情報と、決定したレイアウトを示すレイアウト情報と、を出力情報として生成する。次に、サーバ通信制御部１２０が、サーバ通信部１６およびネットワーク５０を介して、出力情報を第１端末装置３０Ａおよび第２端末装置３０Ｂに送信する。
【００４３】
Ｓ１−１０８の第２例では、サーバ出力制御部１２４が、Ｓ１−１００で取得された経路情報と、Ｓ１−１０２で取得された環境情報、Ｓ１−１０４で取得された進捗情報、およびＳ１−１０６で生成された経路メッセージ情報の表示画面内のレイアウトを決定し、決定したレイアウトに応じて経路情報、環境情報、進捗情報、および経路メッセージ情報が配置された表示画面情報を出力情報として生成する。次に、サーバ通信制御部１２０が、サーバ通信部１６およびネットワーク５０を介して、出力情報を第１端末装置３０Ａおよび第２端末装置３０Ｂに送信する。
【００４４】
＜Ｓ１−３１２＞  第１端末装置３０Ａが、出力情報表示を行う。Ｓ１−３１２の具体例を以下で説明する。
【００４５】
Ｓ１−３１２の第１例は、Ｓ１−１０８の第１例に対応する。Ｓ１−３１２の第１例では、端末出力制御部３２２が、Ｓ１−１０８の第１例で得られるレイアウト情報に基づいて、メッセージ情報の配置と、経路情報の配置と、環境情報の配置と、進捗情報の配置と、経路メッセージ情報の配置と、を決定し、決定した配置に基づいて表示画面を生成し、当該表示画面を表示部４２に表示させる。すなわち、Ｓ１−３１２の第１例では、表示画面のレイアウトの決定は、サーバ１０側で行われ、表示画面の生成（表示部４２に表示可能なデータの生成）および表示は、端末装置３０側で行われる。表示画面内では、メッセージ情報と、経路情報と、環境情報と、進捗情報と、経路メッセージ情報とが、テキスト形式、画像形式、またはそれらの組み合わせで表示される。
【００４６】
Ｓ１−３１２の第２例は、Ｓ１−１０８の第２例に対応する。Ｓ１−３１２の第２例では、端末出力制御部３２２が、Ｓ１−１０８の第２例で得られる表示画面情報に基づいて表示画面を生成し、当該表示画面を表示部４２に表示させる。表示画面内では、メッセージ情報と、経路情報と、環境情報と、進捗情報と、経路メッセージ情報とが、テキスト形式、画像形式、またはそれらの組み合わせで表示される。すなわち、Ｓ１−３１２の第２例では、表示画面のレイアウトの決定および表示画面の生成（端末装置３０の表示部４２に表示可能なデータの生成）は、サーバ１０側で行われ、表示画面の表示は、端末側で行われる。
【００４７】
＜Ｓ１−３２２＞  第２端末装置３０Ｂが、出力情報表示を行う。Ｓ１−３２２の具体例を以下で説明する。
【００４８】
Ｓ１−３２２の第１例は、Ｓ１−１０８の第１例に対応する。Ｓ１−３２２の第１例では、端末出力制御部３２２が、Ｓ１−３１２の第１例と同様に、表示画面を表示部４２に表示する。この場合の表示画面のレイアウトは、Ｓ１−３１２で得られる表示画面のレイアウトと同一であってもよいし、異なってもよい。
【００４９】
Ｓ１−３２２の第２例は、Ｓ１−１０８の第２例に対応する。Ｓ１−３１２の第２例では、端末出力制御部３２２が、Ｓ１−１０８の第２例で得られる表示画面情報に基づいて、表示画面を生成し、当該表示画面を表示部４２に表示する。この場合の表示画面のレイアウトは、Ｓ１−３１２で得られる表示画面のレイアウトと同一であってもよいし、異なってもよい。
【００５０】
本実施形態の端末装置３０の表示部４２に表示される表示画面について説明する。以下では、第１端末装置３０Ａに表示される表示画面を例示するが、第１端末装置３０Ａの使用者を「第１ユーザ」といい、第２端末装置３０Ｂの使用者を「第２ユーザ」という。
【００５１】
図３は、本実施形態の表示画面の第１例の図である。
【００５２】
図３の表示画面には、第１領域Ａ１と第２領域Ａ２とが、Ｘ方向（第１方向）に並べて配置される。
【００５３】
第１領域Ａ１には、第１ユーザが投稿したメッセージ情報Ｍ１と、第２ユーザが投稿したメッセージ情報Ｍ２とが、Ｙ方向（第２方向）に、時系列に沿って表示される。例えば、ＰからＱの方向を時系列とすると、メッセージ情報Ｍ２が最新情報（すなわち、メッセージ情報Ｍ１の後に投稿された情報）である。なお、メッセージ情報Ｍ１およびＭ２は、互いに区別可能な形式（例えば、固有の形状を有する吹き出し、または固有の文字色）で表示される。
【００５４】
第２領域Ａ２には、経路を移動中の第１ユーザの位置を示す情報Ｕ１と、第１ユーザの経路情報（公共交通機関の路線経路を示す情報）の少なくとも一部Ｎ１とが、第１領域Ａ１と共通の時系列に沿って表示される。例えば、ＰからＱの方向を時系列とすると、第２領域Ａ２には、ＰからＱの方向が進行方向となるように、経路情報Ｎ１が表示される。例えば、第１ユーザの位置を示す情報Ｕ１は、ユーザが予め登録した画像（一例として、ユーザの写真）、測位情報が示す位置に関連付けられた画像（一例として、測位情報が自宅の位置を示す場合には自宅アイコン、測位情報が会社の位置を示す場合にはビルアイコン）、または移動区間に応じて変わるアイコン（一例として、電車で移動する区間では電車アイコン、徒歩で移動する区間では歩行者アイコン）である。また、第２ユーザの位置を示す情報Ｕ２は、ユーザが予め登録した画像または測位情報が示す位置に関連付けられた画像である。
【００５５】
表示画面の第１例では、１つの表示画面内に、第１領域Ａ１および第２領域Ａ２が設けられ、第１領域Ａ１および第２領域Ａ２に、共通の時系列に沿って、メッセージ情報および経路情報が表示される。これにより、第１ユーザは、第２ユーザとの間で、経路情報を共有しながら、メッセージ情報によるコミュニケーションを円滑に行うことができる。
【００５６】
図４は、本実施形態の表示画面の第２例の図である。図４（Ａ）は、経路部分表示画面を示している。図４（Ｂ）は、経路全体表示画面を示している。図４（Ｃ）は、経路詳細表示画面を示している。図４（Ａ）〜（Ｃ）の表示画面は、互いに、ユーザの操作（例えば、フリック操作またはアイコンの選択操作）に応じて切り替え可能である。
【００５７】
図４（Ａ）の表示画面には、第１領域Ａ１と、複数領域に分割された第２領域Ａ２ａおよびＡ２ｂと、がＸ方向に並べて配置される。第１領域Ａ１は、複数の第２領域Ａ２ａおよびＡ２ｂ間に配置される。
【００５８】
第１領域Ａ１には、第１ユーザが投稿したメッセージ情報Ｍ１１と、第２ユーザが投稿したメッセージ情報Ｍ２１とが、Ｙ方向に、時系列に沿って表示される。なお、メッセージ情報Ｍ１１およびＭ２１は、互いに区別可能な形式で表示される。
【００５９】
第２領域Ａ２ａおよびＡ２ｂには、それぞれ、第１ユーザおよび第２ユーザの経路情報（公共交通機関の路線経路を示す情報）の一部Ｎ１１およびＮ２１が、Ｙ方向に、第１領域Ａ１と共通の時系列に沿って表示される。
【００６０】
図４（Ｂ）の表示画面には、図４（Ａ）と同様に、第１領域Ａ１と、複数領域に分割された第２領域Ａ２ａおよびＡ２ｂと、がＸ方向に並べて配置される。
【００６１】
第１領域Ａ１には、第１ユーザが投稿したメッセージ情報Ｍ１２と、第２ユーザが投稿したメッセージ情報Ｍ２２とが、Ｙ方向に、時系列に沿って表示される。なお、メッセージ情報Ｍ１２およびＭ２２は、互いに区別可能な形式で表示される。
【００６２】
第２領域Ａ２ａおよびＡ２ｂには、それぞれ、経路を移動中の第１ユーザおよび第２ユーザの位置を示す情報Ｕ１およびＵ２と、第１ユーザの経路情報の全体（出発地Ｓから目的地Ｇまでの路線経路を示す情報）Ｎ１２およびＮ２２とが、Ｙ方向に、第１領域Ａ１と共通の時系列に沿って表示される。
【００６３】
なお、第１領域Ａ１に表示されるアイコン（情報Ｕ１のアイコン、経路情報の全体Ｎ１２のアイコン、出発地Ｓのアイコン、目的地Ｇのアイコン、施設（駅）のアイコン）は、第１ユーザの選択操作を受け付けるように構成される。アイコンに対する選択操作が受け付けられると、選択操作の対象となったアイコンに応じた情報が表示されてもよい。例えば、目的地Ｇのアイコンに対して選択操作が行われると、目的地Ｇへの到着予定時間が表示され、施設（駅）のアイコンに対して選択操作が行われると、当該施設（駅）への到着予定時間および当該施設（駅）の乗り換え案内が表示され、経路情報の全体Ｎ１２のアイコンに対して選択操作が行われると、経路上の交通情報が表示され、情報Ｕ１のアイコンに対して選択操作が行われると、第１ユーザの所在地の情報が表示される。
【００６４】
図４（Ｃ）の表示画面には、経路詳細情報が表示される。経路詳細情報は、テキスト形式、画像形式、またはそれらの組み合わせで表現される。
【００６５】
表示画面の第２例では、１つの表示画面内に、第１領域Ａ１と、複数領域に分割された第２領域Ａ２ａおよびＡ２ｂと、が設けられ、第１領域Ａ１、ならびに第２領域Ａ２ａおよびＡ２ｂに、共通の時系列に沿って、メッセージ情報と、経路情報と、が表示される。複数領域に分割された第２領域のうち、第２領域Ａ２ａは、第１ユーザ（当該表示画面を見るユーザ）の情報を表示する領域に割り当てられ、第２領域Ａ２ｂは、第２ユーザ（当該表示画面に表示すべき情報を提供するユーザ）の情報を表示する領域に割り当てられる。また、図４（Ａ）〜（Ｃ）の表示画面は、ユーザの操作（例えば、画面に対するフリック入力、画面遷移機能を有するボタンの押下）に応じて切り替え可能である。これにより、第１ユーザは、第２ユーザの経路情報を容易に知ることができ、かつ、表示画面を容易に切り替えることもできる。
【００６６】
図５は、本実施形態の表示画面の第３例の図である。
【００６７】
図５（Ａ）の表示画面には、表示画面の第２例（図４（Ａ））と同様に、第１領域Ａ１と、複数領域に分割された第２領域Ａ２ａおよびＡ２ｂと、がＸ方向（第１方向）に並べて配置される。
【００６８】
第１領域Ａ１には、第１ユーザの経路メッセージ情報（Ｓ１−１０２で環境情報として取得された交通情報）Ｒ１と、第２ユーザの経路メッセージ情報（Ｓ１−１０４で進捗情報として取得された経路関連情報）Ｒ２と、第２ユーザが投稿したメッセージ情報Ｍ２とが、Ｙ方向に、時系列に沿って表示される。なお、経路メッセージ情報Ｒ１およびＲ２と、メッセージ情報Ｍ２とは、互いに区別可能な形式で表示される。
【００６９】
第２領域Ａ２ａおよびＡ２ｂには、それぞれ、経路を移動中の第１ユーザおよび第２ユーザの位置を示す情報Ｕ１およびＵ２と、第１ユーザおよび第２ユーザの経路情報（道路経路を示す情報）の少なくとも一部Ｎ１およびＮ２とが、Ｙ方向に、第１領域Ａ１と共通の時系列に沿って表示される。
【００７０】
図５（Ｂ）の表示画面には、図５（Ａ）と同様に、第１領域Ａ１と、複数領域に分割された第２領域Ａ２ａおよびＡ２ｂとが配置され、さらに、第３領域Ａ３が配置される。第３領域Ａ３は、第２領域Ａ２ａおよびＡ２ｂ間であって、かつ、第１領域Ａ１に対してＱ側に配置される。但し、第１領域Ａ１と第３領域Ａ３の位置関係は、これに限られるものではない。
【００７１】
第１領域Ａ１には、第１ユーザの経路メッセージ情報Ｒ１と、第２ユーザが投稿したメッセージ情報Ｍ２とが、Ｙ方向に、時系列に沿って表示される。なお、経路メッセージ情報Ｒ１およびメッセージ情報Ｍ２は、互いに区別可能な形式で表示される。
【００７２】
第２領域Ａ２ａおよびＡ２ｂには、それぞれ、図５（Ａ）と同様に情報が表示される。
【００７３】
第３領域Ａ３には、第２ユーザの経路メッセージ情報Ｒ２が表示される。なお、第３領域Ａ３に、第２ユーザの経路メッセージ情報Ｒ２の代わりに第１ユーザの経路メッセージ情報Ｒ１を表示してもよいし、全ての経路メッセージ情報Ｒ１およびＲ２を表示してもよい。
【００７４】
表示画面の第３例では、第１領域Ａ１、または第１領域Ａ１および第３領域Ａ３に、メッセージ情報と、経路メッセージ情報と、が表示される。これにより、第１ユーザは、第２ユーザの経路に関する情報（経路メッセージ情報）を容易に知ることができる。
【００７５】
なお、第１ユーザが第２領域Ａ２ａまたはＡ２ｂに対してスクロール操作（例えば、スワイプ操作）を行ったときに、第２領域Ａ２ａまたはＡ２ｂに、将来通過する予定の将来経路情報を表示し、第１ユーザが当該将来経路情報に対して選択操作を行ったときに、第１領域Ａ１に、選択操作の対象となった将来経路情報に対応する経路メッセージ情報を表示してもよい。例えば、将来経路情報が混雑予測を示す場合には、「１７時から混雑しそうです。」という経路メッセージ情報が表示され、将来経路情報が時間帯規制を示す場合には、「２１時から通行止めになります。」という経路メッセージ情報が表示される。
【００７６】
また、第１ユーザが第２領域Ａ２ａまたはＡ２ｂに表示された将来通過する予定の施設（例えば、駅）の画像を選択した場合に、当該施設の通過予定時刻を表す経路メッセージ情報（例えば、「１７時３０分通過予定です」という経路メッセージ情報）や経路の進捗状況を表す経路メッセージ情報を表示してもよい。
【００７７】
また、経路情報が変わった場合（例えば、経路が再探索された場合）に、変更後の経路情報（例えば、再探索の結果）を経路メッセージ情報として第１領域Ａ１に表示してもよい。
【００７８】
図６は、本実施形態の表示画面の第４例の図である。なお、表示画面の第４例は、第１ユーザと複数の第２ユーザとの間（すなわち、３人以上のユーザで形成されるグループ間）で経路情報を共有しながら、メッセージ情報を交換する例である。
【００７９】
図６の表示画面には、表示画面の第２例（図４（Ａ））と同様に、第１領域Ａ１と、複数領域に分割された第２領域Ａ２ａおよびＡ２ｂとがＸ方向（第１方向）に並べて配置される。
【００８０】
第１領域Ａ１には、第１ユーザが投稿したメッセージ情報Ｍ１と、各第２ユーザが投稿したメッセージ情報Ｍ２ａおよびＭ２ｂとが、Ｙ方向に、時系列に沿って表示される。なお、メッセージ情報Ｍ１、Ｍ２ａおよびＭ２ｂは、互いに区別可能な形式で表示される。また、メッセージ情報Ｍ２ａおよびＭ２ｂは、送信者である第２ユーザを識別する情報（例えば、ユーザ名）が示される。
【００８１】
第２領域Ａ２ａには、第１ユーザの経路情報（公共交通機関の路線経路を示す情報）の一部Ｎ１が、Ｙ方向に、第１領域Ａ１と共通の時系列に沿って表示される。
【００８２】
第２領域Ａ２ｂには、第２ユーザごとに、経路を移動中の第２ユーザの位置を示す情報Ｕ２ａおよびＵ２ｂと、第２ユーザの経路情報（公共交通機関の路線経路を示す情報）の少なくとも一部Ｎ２ａおよびＮ２ｂとが、第１領域Ａ１と共通の時系列に沿って表示される。
【００８３】
表示画面の第４例では、第１領域Ａ１に全てのユーザのメッセージ情報および経路メッセージ情報Ｍ１１、Ｍ２ａおよびＭ２ｂが表示され、第２領域Ａ２ａに第１ユーザの経路情報Ｎ１が表示され、第２領域Ａ２ｂに複数の第２ユーザの経路情報Ｎ２ａおよびＮ２ｂが表示される。これにより、第１ユーザは、複数の第２ユーザとの間で、経路情報を共有しながら、メッセージ情報によるコミュニケーションを円滑に行うことができる。
【００８４】
なお、第２領域Ａ２ｂを一部の第２ユーザの経路情報のみを表示するように構成し、ユーザの操作に応じて表示すべき経路情報を切り替えてもよい。例えば、第２領域Ａ２ｂを１人分の経路情報のみを表示するように構成し、ユーザの操作に応じて経路情報Ｎ２ａと経路情報Ｎ２ｂとを切り替え可能に表示してもよい。
【００８５】
図７は、本実施形態の表示画面の第５例の図である。
【００８６】
図７（Ａ）の表示画面には、表示画面の第２例（図４（Ａ））と同様に、第１領域Ａ１と、複数領域に分割された第２領域Ａ２ａおよびＡ２ｂとがＸ方向（第１方向）に並べて配置される。
【００８７】
第１領域Ａ１には、表示画面の第２例（図４（Ａ））と同様に情報が表示される。
【００８８】
第２領域Ａ２ａおよびＡ２ｂには、それぞれ、表示画面の第２例（図４（Ａ））と同様の情報と、経路上の時間スケールＴ１およびＴ２と、が表示される。
【００８９】
図７（Ｂ）の表示画面には、表示画面の第２例（図４（Ａ））と同様に、第１領域Ａ１と、複数領域に分割された第２領域Ａ２ａおよびＡ２ｂとがＸ方向（第１方向）に並べて配置される。
【００９０】
第１領域Ａ１には、表示画面の第２例（図４（Ａ））と同様に情報が表示される。
【００９１】
第２領域Ａ２ａおよびＡ２ｂには、それぞれ、表示画面の第２例（図４（Ａ））と同様の情報と、経路上の距離スケールＤ１およびＤ２と、が表示される。ここで、距離スケールＤ１およびＤ２は、第２領域Ａ２ａおよびＡ２ｂ間で共通の縮尺、経路情報に応じて異なる縮尺、またはユーザが設定した所望の縮尺で表示されてもよい。また、経路情報Ｎ２ａおよびＮ２ｂが互いに異なる距離を表す場合に、距離スケールＤ１およびＤ２が同一の長さになるように調整して表示してもよい。
【００９２】
なお、距離スケールＤ１およびＤ２に代えて、経路上の移動区間に応じた区間スケールを表示してもよい。例えば、電車で移動する区間（以下「電車区間」という）と徒歩で移動する区間（以下「徒歩区間」という）とが経路情報に含まれる場合には、相対的に距離の長い電車区間を所定の表示倍率の広域スケールで表示し、相対的に距離の短い徒歩区間を広域スケールより高い表示倍率の詳細スケールで表示してもよい。また、自動車の経路に高速道路と一般道路が含まれる場合には、相対的に距離の長い高速道路区間を広域スケールで表示し、相対的に距離の短い一般道路区間を詳細スケールで表示してもよい。
【００９３】
なお、図７（Ａ）の時間スケールが、第２領域Ａ２ａおよびＡ２ｂ間で共通のスケールであってもよいし、移動区間に応じたスケールであってもよい。また、図７（Ｂ）の距離スケールが、第２領域Ａ２ａおよびＡ２ｂ間で共通であってもよい。
【００９４】
表示画面の第５例では、第２領域Ａ２ａおよびＡ２ｂに、移動に関する目安となるスケールが表示されるので、第１ユーザは、自分の移動状況と第２ユーザの移動状況とを明確に知ることができる。
【００９５】
本実施形態の第１変形例について説明する。図８は、本実施形態の第１変形例の表示画面の図である。
【００９６】
本実施形態の第１変形例では、Ｓ１−１０６において、経路メッセージ情報生成部１２４は、経路メッセージ情報を生成する代わりに、送信すべき経路メッセージ情報をユーザに選択させるための選択メニュー情報を生成する。
【００９７】
図８（Ａ）の表示画面には、表示画面の第２例（図４（Ａ））と同様に、第１領域Ａ１と、複数領域に分割された第２領域Ａ２ａおよびＡ２ｂとがＸ方向に並べて配置される。
【００９８】
第１領域Ａ１には、第２ユーザが投稿したメッセージ情報Ｍ２が表示される。
【００９９】
第２領域Ａ２ａおよびＡ２ｂには、それぞれ、表示画面の第２例（図４（Ａ））と同様に情報が表示される。
【０１００】
また、表示画面の任意の位置には、選択メニュー画面を呼び出すための選択操作を受け付ける選択メニューアイコンＳが配置される。例えば、第１ユーザが選択メニューアイコンＳに対して選択操作を行うと、表示画面が、図８（Ａ）から図８（Ｂ）へ切り替わる。
【０１０１】
図８（Ｂ）の表示画面では、任意の位置に、選択メニュー画面ＳＭが表示される。選択メニュー画面ＳＭには、経路メッセージ情報の選択を受け付ける経路メッセージアイコンＳＭ１およびＳＭ２が配置される。例えば、経路メッセージアイコンＳＭ１は、テキストベースの経路メッセージ情報の選択を受け付けるアイコンであり、経路メッセージアイコンＳＭ２は、スタンプ状の画像形式の経路メッセージ情報の選択を受け付けるアイコンである。例えば、第１ユーザが経路メッセージアイコンＳＭ２に対して選択操作を行うと、表示画面が、図８（Ｂ）から図８（Ｃ）へ切り替わる。
【０１０２】
図８（Ｃ）の表示画面では、第１領域Ａ１に、第２ユーザが投稿したメッセージ情報Ｍ２に加えて、図８（Ｂ）の選択メニュー画面ＳＭが表示された状態で第１ユーザが選択した経路メッセージアイコンＳＭ２に対応する経路メッセージ情報Ｒ１とが、Ｙ方向に、時系列に沿って表示される。
【０１０３】
本実施形態の第１変形例の表示画面では、表示画面内の任意の位置に、ユーザから経路メッセージ情報の選択を受け付ける選択メニュー画面が表示され、ユーザが選択した経路メッセージ情報が第１領域Ａ１に表示される。これにより、第１ユーザは、所望の経路メッセージ情報を第２ユーザが使用する第２端末装置３０Ｂに、容易に送信することができる。
【０１０４】
本実施形態の第２変形例について説明する。図９は、本実施形態の第２変形例の情報処理のシーケンス図である。この情報処理は、端末装置３０と同様の構成を有する第１端末装置３０Ａおよび第２端末装置３０Ｂと、サーバ１０と同様の構成を有する第１サーバ１０Ａおよび第２サーバ１０Ｂと、によって行われる処理である。
【０１０５】
＜Ｓ２−３１０＞  第１端末装置３０Ａが、測位情報取得を行う。例えば、端末情報取得部３２１が、測位部４０から測位情報を取得する。次に、端末通信制御部３２０が、端末通信部３６およびネットワーク５０を介して、測位情報を第１サーバ１０Ａに送信する。
【０１０６】
＜Ｓ２−３１２＞  第１端末装置３０Ａが、メッセージ通信要求を行う。例えば、端末情報取得部３２１が、ユーザから、操作部３８を介して、メッセージ情報と、当該メッセージ情報の送信先となる送信先ユーザＩＤ（フレンドユーザのユーザＩＤ）と、を取得する。次に、端末通信制御部３２０が、端末通信部３６およびネットワーク５０を介して、メッセージ情報と送信先ユーザＩＤとを含むリクエストを、第２サーバ１０Ｂに送信する。
【０１０７】
＜Ｓ２−１１０〜Ｓ２−１１４＞  第１サーバ１０Ａが、本実施形態（図２のＳ１−１１０〜Ｓ１−１１４）と同様に、経路情報取得と、環境情報取得と、進捗情報取得と、を行う。
【０１０８】
＜Ｓ２−１１６＞  第１サーバ１０Ａが、出力経路情報送信を行う。例えば、サーバ情報取得部１２１が、Ｓ２−１１０〜Ｓ２−１１４で取得された経路情報と、環境情報と、進捗情報と、を出力経路情報として取得する。次に、サーバ通信制御部１２０が、サーバ通信部１６およびネットワーク５０を介して、出力経路情報を第２サーバ１０Ｂに送信する。
【０１０９】
＜Ｓ２−１２０＞  第２サーバ１０Ｂが、メッセージ情報取得を行う。例えば、サーバ情報取得部１２１が、Ｓ２−３１１で送信されたリクエストから、メッセージ情報と、送信先ユーザＩＤと、を取得する。次に、サーバ通信制御部１２０が、サーバ通信部１６およびネットワーク５０を介して、送信先ユーザＩＤに対応する送信先（第２端末３０Ｂ）に、メッセージ情報を送信する。
【０１１０】
＜Ｓ２−１２６＞  第２サーバ１０Ｂが、経路メッセージ情報生成を行う。例えば、経路メッセージ情報生成部１２４は、Ｓ２−１１６で送信された出力経路情報に基づいて、経路メッセージ情報を生成する。
【０１１１】
＜Ｓ２−１２８＞  第２サーバ１０Ｂが、本実施形態（図２のＳ１−１０８）と同様に、出力情報送信を行う。
【０１１２】
＜Ｓ２−３１２およびＳ２−３２２＞  第１端末装置３０Ａおよび第２端末装置Ｂが、本実施形態（図２のＳ１−３１２およびＳ１−３２２）と同様に、出力情報表示を行う。
【０１１３】
このように、本実施形態は、経路に関する情報を提供するサーバ（第１サーバ１０Ａ）が、メッセージ情報を提供するサーバ（第２サーバ１０Ｂ）に経路に関する情報を提供し、メッセージ情報を提供するサーバが、経路に関する情報と、メッセージ情報と、を提供するシステムについても、適用可能である。
【０１１４】
本実施形態の第３変形例について説明する。図１０は、本実施形態の第３変形例の情報処理のシーケンス図である。この情報処理は、端末装置３０と同様の構成を有する第１端末装置３０Ａおよび第２端末装置３０Ｂと、サーバ１０と同様の構成を有する第１サーバ１０Ａおよび第２サーバ１０Ｂと、によって行われる処理である。
【０１１５】
＜Ｓ３−３１０およびＳ３−３１２＞  第１端末装置３０Ａが、本実施形態の第２変形例（図９のＳ２−３１０およびＳ２−３１２）と同様に、測位情報取得およびメッセージ通信要求を行う。
【０１１６】
＜Ｓ３−１１０〜Ｓ３−１１８＞  第１サーバ１０Ａが、本実施形態（図２のＳ１−１００〜Ｓ１−１０８）と同様に、経路情報取得と、環境情報取得と、進捗情報取得と、経路メッセージ情報生成と、出力情報送信と、を行う。なお、Ｓ３−１１６は省略可能である。
【０１１７】
＜Ｓ３−１２０＞  第２サーバ１０Ｂが、本実施形態の第２変形例（図９のＳ２−１２０）と同様に、メッセージ情報送信を行う。
【０１１８】
＜Ｓ２−３１２およびＳ２−３２２＞  第１端末装置３０Ａおよび第２端末装置Ｂが、本実施形態（図２のＳ１−３１２およびＳ１−３２２）と同様に、出力情報表示を行う。
【０１１９】
このように、本実施形態は、経路に関する情報を提供するサーバ（第１サーバ１０Ａ）と、メッセージ情報を提供するサーバ（第２サーバ１０Ｂ）とを分けたシステムについても、適用可能である。
【０１２０】
なお、Ｓ１−１０８において、サーバ出力制御部１２４は、アクティブなメッセージ情報に応じて表示画面のレイアウトを変更してもよい。アクティブなメッセージ情報とは、新着メッセージ情報またはユーザが選択したメッセージ情報である。例えば、アクティブなメッセージ情報が新着メッセージ情報である場合には、当該新着メッセージ情報が第１領域Ａ１に表示されたときに、サーバ出力制御部１２４は、当該新着メッセージ情報の投稿位置に対応する第２領域Ａ２の経路上の位置を、第２領域Ａ２の所定位置に表示させる。また、アクティブなメッセージ情報がユーザによって選択されたメッセージ情報である場合には、サーバ出力制御部１２４は、ユーザが当該メッセージ情報を選択したときに、当該メッセージ情報の投稿位置に対応する第２領域Ａ２の経路上の位置を、第２領域Ａ２の所定位置に表示させる。
【０１２１】
また、本実施形態では、ユーザが第１領域Ａ１に表示されたメッセージ情報に対して選択操作を行ったときに、当該選択操作の対象となったメッセージ情報の少なくとも一部（例えば、場所を特定可能な文字列または画像）から探索条件を抽出し、抽出した探索条件に基づいて経路を再探索してもよい。
【０１２２】
また、本実施形態では、メッセージ情報の投稿位置（例えば、メッセージ情報に付加された測位情報により特定される位置、メッセージ情報の投稿時刻と経路情報とから推定される位置、またはユーザが投稿対象として指定した位置）と、第２領域Ａ２に表示された経路情報が示す経路上の位置とを関連付けた形式で、第１領域に当該メッセージ情報を表示してもよい。例えば、関連付けた形式とは、当該投稿位置に対応する第２領域Ａ２の経路上の位置に揃った第１領域Ａ１内の位置（一例として、図４（Ａ）において、第２領域Ａ２の当該経路上の位置とＸ方向に揃った第１領域Ａ１内の位置）にメッセージ情報を表示する形式、または、第１領域Ａ１に表示されたメッセージ情報と第２領域Ａ２の当該経路上の位置とを図形（一例として、線）で結合する形式である。
【０１２３】
また、第２領域Ａ２に経路情報の一部を表示する場合には、予め設定された条件に応じた経路情報のみを表示してもよい。例えば、予め定められた数の移動区間を抽出して、抽出した移動区間の経路情報のみを表示してもよい。また、現在位置から目的地までの経路情報のみを表示してもよい。また、現在位置から所定距離内の位置までの間の経路情報のみを表示してもよいし。また、現在位置から所定時間で到達可能な位置までの間の経路情報のみを表示してもよい。
【０１２４】
本実施形態によれば、１つの表示画面内に複数の領域が設けられ、メッセージ情報と、経路情報とが、それぞれ対応する領域に表示される。これにより、複数のユーザは、経路情報を共有しながら、メッセージ情報によるコミュニケーションを円滑に行うことができる。
【０１２５】
また、本実施形態によれば、Ｘ方向に複数の領域が配列され、Ｙ方向に、全領域に共通の時系列に沿って情報が表示される。すなわち、領域の配列方向と、情報の配列方向とが互いに直行する方向である。これにより、ユーザは、全ての情報を直感的に得ることができる。
【０１２６】
本実施形態に係る情報処理システム１の少なくとも一部は、ハードウェアで構成しても良いし、ソフトウェアで構成しても良い。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させても良い。記録媒体は、磁気ディスクや光ディスク等の着脱可能なものに限定されず、ハードディスク装置やメモリなどの固定型の記録媒体でも良い。
【０１２７】
また、本実施形態に係る情報処理システム１の少なくとも一部の機能を実現するプログラムを、インターネット等の通信回線（無線通信も含む）を介して頒布しても良い。さらに、同プログラムを暗号化したり、変調をかけたり、圧縮した状態で、インターネット等の有線回線や無線回線を介して、あるいは記録媒体に収納して頒布しても良い。
【０１２８】
なお、本発明は、上述した実施形態に限定されるものではなく、その要旨を逸脱しない範囲で構成要素を変形して具体化される。また、上述した実施形態に開示されている複数の構成要素の適宜な組み合わせにより、種々の発明が形成可能である。例えば、上述した実施形態に示される全構成要素から幾つかの構成要素を削除してもよい。さらに、異なる実施形態にわたる構成要素を適宜組み合わせてもよい。
【符号の説明】
【０１２９】
１  情報処理システム
１０  サーバ
１２  サーバ制御部
１２０  サーバ通信制御部
１２１  サーバ情報取得部
１２２  サーバ出力制御部
１２４  経路メッセージ情報生成部
１４  サーバ記憶部
１６  サーバ通信部
３０  端末装置
３２  端末制御部
３２０  端末通信制御部
３２１  端末情報取得部
３２２  端末出力制御部
３４  端末記憶部
３６  端末通信部
３８  操作部
４０  測位部
４２  表示部
【図１】
2014142313.tif 000003
【図２】
2014142313.tif 000004
【図３】
2014142313.tif 000005
【図４】
2014142313.tif 000006
【図５】
2014142313.tif 000007
【図６】
2014142313.tif 000008
【図７】
2014142313.tif 000009
【図８】
2014142313.tif 000010
【図９】
2014142313.tif 000011
【図１０】
2014142313.tif 000012